(57)【特許請求の範囲】
【請求項１】
引出と、
前記引出をスライド自在に収納可能な収納庫と、
前記引出が所定の収納完了位置より収納方向へさらに押し込まれることによって該引出を押し出す押出機構と、
商用電源から前記押出機構で利用可能な電力に変換する電力変換装置とを備える収納ユニットにおいて、
さらに振動を感知して電源回路を接続／遮断する感振開閉装置を備え、
前記押出機構は、前記引出の押し込み時間を計測するタイマを有し、該引出が所定時間以上前記押し込まれた場合には前記押し出しを行わないことを特徴とする収納ユニット。
【請求項２】
前記感振開閉装置は、前記電力変換装置と押出機構との間の電源回路上に配置され、３軸の加速度センサと、電源回路を接続／遮断するためのリレー回路とを備え、
前記感振開閉装置は、所定強さ以上の振動を感知すると電源回路を遮断し、
前記タイマは、前記加速度センサが振動を感知しなくなってからの経過時間を計測し、
前記感振開閉装置は、前記経過時間が所定時間以上経過すると電源回路を接続することを特徴とする請求項１に記載の収納ユニット。
【請求項３】
前記収納庫には、地震の発生によって閂部材が突出し、該閂部材が前記引出に係止してその飛び出しを防止する引出開放防止部品を備えたことを特徴とする請求項１に記載の収納ユニット。
【請求項４】
前記電力変換装置と感振開閉装置は、複数の前記収納庫のうち同じ収納庫の背面板の内面に取り付けたことを特徴とする請求項１に記載の収納ユニット。
【請求項５】
前記収納ユニットはキッチンであって、
前記電力変換装置および感振開閉装置が取り付けられる収納庫は、シンクを備えない収納庫であることを特徴とする請求項１に記載の収納ユニット。
【発明の詳細な説明】
【技術分野】
【０００１】
本発明は、プッシュオープン式の引出を有する収納ユニットに関するものである。
【背景技術】
【０００２】
被収納物を収納する手段としては、戸棚や押し入れといった、固定された棚に被収納物自体を動かして収納する手段と、タンスやキッチンといった、引出をスライドして被収納物を載置し引出ごと収納する手段とがある。
【０００３】
後者の、引出を用いる収納手段では、被収納物を上方から容易に収納でき、複数の引出を水平および垂直方向に並行して設けることで高い空間効率を得ることができる。例えば、キッチンにおける引出には、碗、皿、カップ等の食器類、鍋、フライパン等の調理器具、塩、胡椒等の調味料など、大小様々な被収納物を上方から容易に収納することができる。
【０００４】
一方、昨今の付加価値の増大や高機能化に伴い、上記収納ユニットのさらなる使い勝手の良さや便利さ等を求める要望もある。そこで、引出の前板の前面を少しだけ奥に押すだけで自動的に引出を引き出す、いわゆるプッシュオープン式の収納ユニットが提案されている（例えば特許文献１）。かかるプッシュオープン式の収納ユニットでは、引出に手の甲や手以外の部位を接触させることによっても容易に引き出すことができ、調理の効率を向上することができる。
【特許文献１】国際公開ＷＯ２００６／１１２１８９号公報
【発明の開示】
【発明が解決しようとする課題】
【０００５】
上述したプッシュオープン式の収納ユニットにおける押出機構としては、ばねとラッチを用いた機械式の装置や、モータを用いた電動式の装置を用いることができる。電動式の押出機構は、押し込み量や押出速度を自由に設定することができるため、機械式のものよりも所望の動作を得られやすい点で優れている。
【０００６】
しかし、上述したようなプッシュオープン式の収納ユニットでは、意図しない引出の移動によって押出機構が誤動作することを防止する必要がある。意図しない移動とは、例えば地震による引出の振動（揺動）や建物の揺れ、急激に引出を締めたときのキッチン本体の揺れなどである。誤動作によって引出が押し出されると、近くに使用者がいた場合に衝突してしまったり、通行を阻害してしまうおそれがある。
【０００７】
そこで本発明は、プッシュオープン式の収納ユニットにおいて、地震などの震動による押出機構の誤動作を防止し、使用者の利便性を向上させた収納ユニットを提供することを目的としている。
【課題を解決するための手段】
【０００８】
上述の課題を解決するために、本発明の代表的な構成は、引出と、引出をスライド自在に収納可能な収納庫と、引出が所定の収納完了位置より収納方向へさらに押し込まれることによって該引出を押し出す押出機構と、商用電源から押出機構で利用可能な電力に変換する電力変換装置とを備える収納ユニットにおいて、さらに振動を感知して電源回路を接続／遮断する感振開閉装置を備え、押出機構は、引出の押し込み時間を計測するタイマを有し、引出が所定時間以上押し込まれた場合には押し出しを行わないことを特徴とする。
【０００９】
上記構成によれば、プッシュオープン式の収納ユニットにおいて、引出またはキッチン本体が地震などによって揺動した場合であっても、押出機構の誤動作を防止することができる。
【００１０】
感振開閉装置は、電力変換装置と押出機構との間の電源回路上に配置され、３軸の加速度センサと、電源回路を接続／遮断するためのリレー回路とを備えていてもよい。感振開閉装置の具体的な構成の例である。３軸の加速度センサは、揺れの方向にかかわらず揺れの大きさを正確に検知することができる。なお、リレー回路に代えてトランジスタなどのスイッチング回路を用いてもよい。
【００１１】
感振開閉装置は、所定強さ以上の振動を感知すると電源回路を遮断し、タイマは、加速度センサが振動を感知しなくなってからの経過時間を計測し、感振開閉装置は、経過時間が所定時間以上経過すると電源回路を接続するよう構成してもよい。すなわち、感振開閉装置が振動を感知すると押出機構への電力供給が停止するため、引出またはキッチン本体が揺動しても押出機構は動作しない。そして振動を感知している間は電力供給を遮断し続け、振動を感知しなくなってから所定時間が経過することにより電力供給を再開する。このように構成したことにより、地震などが長引いた場合であっても確実に誤動作を防止し、かつ、地震が収まった後には自動的に通常動作に復帰することができる。
【００１２】
収納庫には、地震の発生によって閂部材が突出し、該閂部材が引出に係止してその飛び出しを防止する引出開放防止部品を備えていてもよい。これにより、押出機構による能動的な押し出しを防止するのみでなく、引出が地震の震動そのものによって飛び出してしまうことをも防止することができる。
【００１３】
電力変換装置と感振開閉装置は、複数の収納庫のうち同じ収納庫の背面板の内面に取り付けることが好ましい。これにより、収納ユニットがキッチンである場合にも、可能な限りの収納力を確保しつつ、効率的に空間を利用して電力変換装置および感振開閉装置からなる電源装置を配置することができる。特に電力変換装置と感振開閉装置を同じ収納庫に配置することにより、最小限の長さの電源ケーブルによって配線することができる。
【００１４】
収納ユニットはキッチンであって、電源装置が取り付けられる収納庫は、シンクを備えない収納庫であることが好ましい。これにより、万が一の水漏れの際にも電源装置が水をかぶることを防ぐことができる。
【００１５】
押出機構は、引出の収納庫内における収納完了位置を認識し、引出の収納完了位置からの押し込みを該引出の移動距離によって検知することが好ましい。これにより、引出をわずかに押し込むことによって自動的に引出が出てくるため、引出の開閉が極めて簡便になり、また自動化による高級感を得ることができる。
【発明の効果】
【００１６】
本発明によれば、プッシュオープン式の収納ユニットにおいて、引出またはキッチン本体が地震などによって揺動した場合であっても押出機構の誤動作を防止することができ、使用者の利便性を向上させることができる。
【発明を実施するための最良の形態】
【００１７】
本発明にかかる収納ユニットの実施形態について、図を用いて説明する。本実施形態において収納ユニットは、システムキッチンを例に用いて説明する。なお、以下の実施形態に示す、寸法、材料、その他具体的な数値などは、発明の理解を容易とするための例示に過ぎず、特に断る場合を除き、本発明を限定するものではない。また本明細書及び図面において、実質的に同一の機能構成を有する構成要素については、同一の符号を付することにより重複説明を省略する。
【００１８】
（全体構成）
図１は収納ユニットの例としてのシステムキッチンの全体構成を説明する図である。キッチン１００は、いわゆる対面式のオープンシステムキッチンであり、その天板１１０（ワークトップとも称される。）はステンレス材を用いて形成され、システムキッチンの全体の上面を覆っている。なお、天板１１０は合成樹脂素材を使用して形成されていてもよい。
【００１９】
天板１１０の上面には、組み込みで取り付けられたコンロ１１２、調理スペース１１４、一体に形成されたシンク１１６、および準備スペース１１８が設けられる。調理スペース１１４と準備スペース１１８とは同様に平坦なテーブル面であるが、シンク１１６とコンロ１１２の間に位置する調理スペース１１４は主に調理を行う場所と想定し、シンク１１６より外側に位置する準備スペース１１８は一時的に食材や調理器具を置くための補助的な場所と想定している。
【００２０】
天板１１０の下は、コンロ１１２が設置されているコンロキャビネット１２０と、調理スペース１１４を備えるベースキャビネット１３０、シンク１１６が設置されているシンクキャビネット１４０、準備スペース１１８を備える補助キャビネット１５０で構成している。各キャビネットは収納庫として機能し、キャビネット内の空きスペースには、コンロ１１２への配線や、シンク１１６および水栓への給排水管などが収容されている。
【００２１】
このように、天板１１０は、システムキッチン１００全体に亘って連続しているにも拘らず、天板１１０の下では、天板１１０の上のシンク１１６やコンロ１１２といった各構成に対応したキャビネットが複数設けられている。
【００２２】
これによりシステムキッチン１００の構成を異ならせたときにも、キャビネット単位で引出や前板などの部品を準備すればよく、生産効率を向上させることができる。ここでいうシステムキッチンの構成とは、例えば調理スペース１１４やシンク１１６の幅、準備スペース１１８の有無などである。
【００２３】
各キャビネットは、本実施形態においては収納として様々な大きさの引出を設けている。例えばコンロキャビネット１２０は、上部にコンロ１１２のグリル１１２ａおよび操作パネル１１２ｂを備え、その両脇には調味料などの小物を収納するための小さな引出であるスパイスボックス１２２が配置されている。コンロキャビネット１２０の中央部、すなわちグリル１１２ａの下には幅の広い大きな引出１２４を配置し、鍋やボウルなどの比較的大きな調理器具を収納可能になっている。またコンロキャビネット１２０の下部の床近傍には、引出式の足下収納庫１２６が配置されている。
【００２４】
同様に、ベースキャビネット１３０には複数の比較的小さな引出１３２および足下収納庫１３６が備え付けられ、シンクキャビネット１４０には足下収納庫１４６からシンクの幕板１４２に到る高い前板を備えた引出１４４が備え付けられている。補助キャビネット１５０には足下収納庫１５６から天板１１０に到る高い前板を備えた引出１５２が備えられ、その内部に独立して出し入れ可能な中引出１５４が備えられている。
【００２５】
（押出機構）
図２はキャビネットの内部構成を説明する図である。図に示すように、各キャビネットの壁板２０２には引出を案内するためのレール２０４が左右対称となるように備えられている。そして、それぞれの引出の収納位置（収納完了位置）の背面側には、引出を押し出す押出機構の例としてのドライブユニット２１０が備えられている。
【００２６】
図３はドライブユニットを説明する図であって、図３（ａ）はドライブユニットの概略斜視図、図３（ｂ）はドライブユニットの動作を説明する平面図である。
【００２７】
図３（ａ）に示すように、ドライブユニット２１０は、駆動部２１２と、駆動部２１２から片持ちで突出したアーム２１４とを備えている。駆動部２１２は電力によって動作し、アーム２１４を回動させるモータのほか、アーム２１４の回動量を検知するエンコーダ、およびこれらを制御する制御部を備えている。
【００２８】
図３（ｂ）に示すように、引出１２４が引き出されているときには、ドライブユニット２１０のアーム２１４は、引出に向かって突出した状態となっている。図３（ｃ）に示すように引出１２４を収容すると、アーム２１４は引出１２４の背面に押されて回動する。このとき駆動部２１２では、アーム２１４の回動をエンコーダによって検知する。
【００２９】
キャビネットの壁板２０２にはダンパ３３０が設けられており、引出１２４の前板３０２がこのダンパ３３０に当接することによって、引出１２４の収納完了位置（完全に収容される位置）が規定される。引出１２４が収納完了位置にて静止すると、駆動部２１２内の制御部はエンコーダの単位時間あたりの変化量から、収納完了位置を認識する。そして図３（ｄ）に示すように、ダンパ３３０の付勢力に抗して引出１２４を収納完了位置よりさらに押し込むと、制御部はエンコーダによってこれを検知し、駆動部２１２内のモータを動作させてアーム２１４を回動させる。これにより図３（ｅ）に示すように、引出１２４を押し出す。
【００３０】
上記構成および動作により、使用者にしてみれば、引出をわずかに押し込むことによって自動的に引出が出てくることになる。したがって引出の開閉が極めて簡便になり、また自動化による高級感を得ることができる。なお押し込む量は任意に設定することができるが、例えば１ｍｍ〜２ｍｍ程度とすることができる。また引出に寄りかかった際に引出を押し出してしまうことを回避するために、押し込みが短時間である場合にのみ押し出すこととし、所定時間以上（例えば２秒以上）押し込まれていた場合には押し出さないように制御することができる。
【００３１】
ドライブユニット２１０は、ベースキャビネット１３０のように多数の引出１３２が設けられている場合には、縦方向に設置され上下端を固定された縦ブラケット２５０に取り付けられている。またコンロキャビネット１２０の用に幅が広い場合、およびシンクキャビネット１４０のように引出の奥行き位置が異なる場合には、横方向に設置され左右端を固定された横ブラケット２６０に取り付けられている。
【００３２】
（誤動作防止機構：感振開閉装置）
また図２に示すように、キッチン１００は電源装置として、ＡＣアダプタ２２０、感振開閉装置２３０を備えている。ＡＣアダプタ２２０は、商用交流電源からドライブユニット２１０で利用可能な直流電力に変換する電力変換装置である。感振開閉装置２３０は、地震による振動を感知して電源回路を開閉するスイッチであって、地震などの振動による誤動作を防止する装置である。
【００３３】
感振開閉装置２３０は、振動を感知するための３軸の加速度センサと、電源回路を接続／遮断するためのリレー回路とを備えており、ＡＣアダプタ２２０とドライブユニットとの間の配線上に配置される。
【００３４】
図４は感振開閉装置の動作を説明するフローチャートである。本実施形態では、微震を加速度センサによって感知すると（Ｓ１０）、ＡＣアダプタ２２０からドライブユニット２１０への電力を遮断し（Ｓ１２）、所定時間（例えば２秒間）を計測するためのタイマーをリセットする（Ｓ１４）。そして所定時間が経過したか否かを判断し（Ｓ１６）、経過していなければ振動感知に戻り（Ｓ１０）、振動が継続する場合には、加速度センサが振動を感知するごとに、タイマーをリセットする（Ｓ１４）。すなわち、常に最後に振動を感知してから所定時間の間は電源を遮断する。振動を感知しない場合（Ｓ１０）は、単に所定時間が経過したか否かを判断する（Ｓ１６）。そして、最後に振動を感知してから（タイマーをリセットしてから）所定時間が経過すると（Ｓ１６）、電力供給を再開する（Ｓ１８）。
【００３５】
上記のように構成したことにより、地震などが長引いた場合であっても確実に誤動作を防止し、かつ、地震が収まった後には自動的に通常動作に復帰することができる。なお加速度センサが検知する所定強さ以上の振動としては、例えば２０ガル〜５０ガルに設定することができる。これは地震としては人間が気づかない程度の振動である。
【００３６】
上述したように、ドライブユニット２１０は引出が１ｍｍ〜２ｍｍ押し込まれたことを検知して押し出し動作を行う。これに対しわが国日本は地震が多く、地震によって引出が揺さぶられたり、建物側が揺れたりすると、ドライブユニット２１０は引出が押し込まれたと誤認識し、引出を押し出してしまうおそれがある。また同様の誤動作は、引出を急激に締めることによってキッチン本体が揺れた場合にも発生する。しかし上記構成によれば、地震などによる引出の揺動は無視することができるため、誤動作を防止することができる。
【００３７】
なお、誤動作防止装置としての感振開閉装置２３０は、ドライブユニット２１０に供給する電力を遮断することによって動作不能にするものである。したがって、感振開閉装置２３０が作動している場合には、あたかも普通の（ドライブユニットが備えられていない）引出のように、引出の出し入れ操作をすることができる。
【００３８】
しかし、さらに強い地震（例えば１６０ガル以上）が発生した場合には、ドライブユニット２１０を動作不能にしたにもかかわらず、地震の震動によって引出が飛び出してしまうおそれもある。そこで、かかる場合にも引出の飛び出しを防止する引出開放防止部品を備えることが好ましい。
【００３９】
図５はキャビネットの壁板に設けられた引出開放防止部品を説明する図である。壁板２０２の前面にはパッキン３２０が設置されており、壁板２０２の側面にはダンパ３３０および引出開放防止部品の例としての耐震ラッチ１６０が設けられている。耐震ラッチ１６０は、閂部材１６２を揺動可能に軸支した機構となっている。閂部材１６２は地震などによる振動によって揺動することにより突出し、引出の係合部（不図示）に閂部材１６２が嵌合して、引出が飛び出してしまうことを防止することができる。
【００４０】
これにより、押出機構による能動的な押し出しを防止するのみでなく、引出が地震の震動そのものによって飛び出してしまうことをも防止することができる。なお、耐震ラッチ１６０としては図示のものに限らず、既知の様々な構成のものを利用することができる。
【００４１】
（電源装置の配置）
次に、図２および図６を用いて、電源装置の配置について説明する。図６はコンロキャビネットの正面図および断面図である。図に示すように、電源装置としてのＡＣアダプタ２２０および感振開閉装置２３０、およびこれらからドライブユニット２１０に対する電源ケーブルの配線を、キャビネットの背面板の内面に取り付けている。
【００４２】
上記したようにキャビネット内部の空間は収納として利用しているが、キャビネットの種類によって他の目的のための空間も必要である。例えばベースキャビネット１３０や補助キャビネット１５０であればすべての空間を収納に利用することができるが、コンロキャビネット１２０であればガス管や電源の配線のための空間が必要であり、シンクキャビネット１４０であれば給排水管を設置するための空間が必要である。このため、ドライブユニット２１０に対する電源装置および配線を配置するために各キャビネットに共通して利用可能な空間として、まずはキャビネットの底面を挙げることができる。
【００４３】
しかし、わが国の住宅事情を鑑みれば、限られた設置面積に可能な限りの収納や機能を備えたキッチンが求められており、その要請に応える一つの手段として上述のように引出式の足元収納である足下収納庫１２６、１３４、１４６、１５６が設けられている。足下収納はキャビネットの底面に配置されるものであるから、既にキャビネットの底面には電源装置や配線を設置する空間は残されていない。
【００４４】
そこで本実施形態においては、上記のように、電源装置と配線をコンロキャビネット１２０の背面板２０６の内面に取り付けている。上述したようにキャビネット背面板近傍には、ガス管や給排水管が配置されるため（不図示）、他の部材を統一的に設置することは意外性がある。しかし、電源ケーブルのように比較的細いものを背面板に沿って平面的に設置することにより、キャビネットの種類によらず統一的に配置することを可能とし、可能な限りの収納力を確保しつつ、効率的に空間を利用して電源装置および配線を配置することができた。特に電力変換装置と感振開閉装置を同じ収納庫に配置することにより、最小限の長さの電源ケーブルによって配線することができる。
【００４５】
なお本実施形態においては電源装置をコンロキャビネット１２０に取り付けているが、ベースキャビネット１３０または補助キャビネット１５０でもよい。ただしシンクキャビネット１４０は、万が一でも水漏れした場合に電源装置が水をかぶることが好ましくないため、シンクを備えないキャビネットに電源装置を取り付けることが望ましい。
【００４６】
（電源ケーブルの配線）
次に、図２および図７を用いて、電源装置からドライブユニットに対する電源ケーブルの配線について説明する。図７はキッチン全体の配線を説明する正面図および断面図である。電源装置としてのＡＣアダプタ２２０および感振開閉装置２３０はケーブル２４０ａによって接続され、感振開閉装置２３０はケーブル２４０ｂによって主電源ケーブル２４０ｃに接続される。主電源ケーブル２４０ｃは、図７（ｂ）に示すように各キャビネットの壁板２０２を貫通し、図７（ａ）に示すように総てのキャビネットに亘って張り巡らされている。各キャビネット内において、主電源ケーブル２４０ｃからは各ドライブユニット２１０に対してケーブル２４０ｄによって接続し、給電を行っている。
【００４７】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４８】
本発明は、プッシュオープン式の引出を有する収納ユニットとして利用することができる。
【図面の簡単な説明】
【００４９】
【図１】収納ユニットの例としてのシステムキッチンの全体構成を説明する図である。
【図２】キャビネットの内部構成を説明する図である。
【図３】ドライブユニットを説明する図である。
【図４】感振開閉装置の動作を説明するフローチャートである。
【図５】キャビネットの壁板に設けられた引出開放防止部品を説明する図である。
【図６】コンロキャビネットの正面図および断面図である。
【図７】キッチン全体の配線を説明する正面図および断面図である。
【符号の説明】
【００５０】
１００…キッチン、１１０…天板、１１２…コンロ、１１２ａ…グリル、１１２ｂ…操作パネル、１１４…調理スペース、１１６…シンク、１１８…準備スペース、１２０…コンロキャビネット、１２２…スパイスボックス、１２４…引出、１２６、１３６、１４６、１５６…足下収納庫、１３０…ベースキャビネット、１３２…引出、１４０…シンクキャビネット、１４２…幕板、１４４…引出、１４８…配管スペース、１４９…配管プレート、１５０…補助キャビネット、１５２…引出、１５４…中引出、１６０…耐震ラッチ、１６２…閂部材、２０２…壁板、２０４…レール、２０６…背面板、２１０…ドライブユニット、２１２…駆動部、２１４…アーム、２２０…ＡＣアダプタ、２３０…感振開閉装置、２４０ａ…ケーブル、２４０ｂ…ケーブル、２４０ｃ…主電源ケーブル、２４０ｄ…ケーブル、２５０…縦ブラケット、２６０…横ブラケット、３０２…前板、３０４…壁板、３２０…パッキン、３３０…ダンパ
【図１】
0005483809.tif 000002
【図２】
0005483809.tif 000003
【図３】
0005483809.tif 000004
【図４】
0005483809.tif 000005
【図５】
0005483809.tif 000006
【図６】
0005483809.tif 000007
【図７】
0005483809.tif 000008